(57)【要約】【課題】  コンデンサー単体の容量を増大させることなく、そのフラッシュ定着時間を容易に、かつ、任意に拡張できるフラッシュ定着装置及びこれを用いた画像形成装置を提供する。【解決手段】  フラッシュランプ２１と、充電信号ＣＨＯＮに応じて所定の充電周期Ｔ０で放電コンデンサーＣを充電して、フラッシュランプ２１に電源を供給可能に配設された複数の電源供給手段ＦＶＣと、該複数の電源供給手段ＦＶＣの出力を切り換える切り替え手段ＰＳＷ，ＴＳＷとを備え、複数の充電信号ＣＨＯＮは、所定の遅延間隔Ｔ１で順次遅延されており、かつ、各充電信号ＣＨＯＮに応じた各電源供給手段ＦＶＣの放電コンデンサーＣが充電完了した時点で、切り替え手段ＰＳＷ，ＴＳＷにより、フラッシュランプ２１に所定の遅延間隔Ｔ１で順次電源が供給されると共に、遅延間隔Ｔ１は、所定の充電周期Ｔ０よりも短く設定されていることを特徴とする。【選択図】          図３
2006267216.tif 000002
【特許請求の範囲】
【請求項１】
フラッシュランプ内の気体を放電発光させて、記録媒体上に形成されたトナー像に熱エネルギーを付与して、該トナー像を定着するフラッシュ定着装置において、
少なくとも一のフラッシュランプと、
充電信号に応じて所定の充電周期で放電コンデンサーを充電して、前記一のフラッシュランプに電源を供給可能に配設された複数の電源供給手段と、
該複数の電源供給手段と、前記一のフラッシュランプとの間に介在し、該複数の電源供給手段の出力を切り換える切り替え手段と
を備え、
前記複数の電源供給手段のそれぞれに対応した複数の充電信号は、所定の遅延間隔で順次遅延されており、かつ、各充電信号に応じた各電源供給手段の放電コンデンサーが充電完了した時点で、前記切り替え手段により、前記少なくとも一のフラッシュランプに前記所定の遅延間隔で順次電源が供給されると共に、前記遅延間隔は、前記所定の充電周期よりも短く設定されていることを特徴とするフラッシュ定着装置。
【請求項２】
前記複数の電源供給手段の内、前記一のフラッシュランプに対して電源供給を行う電源供給手段は、前記切り替え手段により選択可能であることを特徴とする請求項１に記載のフラッシュ定着装置。
【請求項３】
前記所定の遅延間隔は、前記電源供給手段ごとに設定可能であることを特徴とする請求項１又は２に記載のフラッシュ定着装置。
【請求項４】
請求項１ないし３のいずれかに記載のフラッシュ定着装置と、記録媒体にトナー像を形成する画像形成手段とを備えることを特徴とする画像形成装置。
【発明の詳細な説明】
【技術分野】
【０００１】
本発明は、複写機、プリンタ、ファクシミリ、これらの複合機等の電子写真方式、静電転写方式により形成した画像をフラッシュランプの発光エネルギーにより定着するフラッシュ定着装置及びこれを用いた画像形成装置に関する。
【背景技術】
【０００２】
【特許文献１】特公平６−００５４３３号公報
【０００３】
従来、乾式電子写真方式等のトナー像を形成するプリンタにおいては、記録媒体上に粉体のトナーを転写させて画像を形成しており、記録媒体上のトナー像に定着エネルギーを与えて記録媒体上の粉体トナーを溶融し、トナー像を定着している。
【０００４】
特に、高速プリンタでは、このような定着エネルギーを与える手段として、記録媒体の搬送に影響を与えずに、高いエネルギーを付与できる非接触型のフラッシュランプによるフラッシュ発光を利用したフラッシュ定着装置が用いられている（例えば、特許文献１参照）。
【０００５】
この特許文献１では、電力の無駄な供給を防止する等の観点から、用紙搬送方向の長さと搬送速度からフラッシュ回数を決定し、カット用紙の用紙間をフラッシュ発光しないように構成したフラッシュ定着装置が開示されている。
【発明の開示】
【発明が解決しようとする課題】
【０００６】
ところで、一般に、カラートナーの定着エネルギーはモノクロトナーに較べ、約２倍の定着エネルギーが必要となる。通常、このような定着エネルギーを確保するためには、フラッシュ電圧を高めるか放電コンデンサーの容量アップが考えられる。
【０００７】
しかしながら、例えば、特許文献１に開示されたようなフラッシュ定着装置において、フラッシュ電圧を高めて、フラッシュ時の定着エネルギーを増大させた場合には、ボイドの発生等により十分な定着性が得られないといった問題が生じていた。
【０００８】
一方、このような問題に対処して定着性を改善するためには、フラッシュ電圧を高めることなく、フラッシュ時間を長くすればよいが、このような手段として放電コンデンサーの容量を増大する場合には、装置が大型化し、コストも増大するといった問題が生じていた。
【０００９】
そこで、本発明は、上述のような従来技術の問題点に鑑みて、コンデンサー単体の容量を増大させることなく、そのフラッシュ定着時間を容易に、かつ、任意に拡張できるフラッシュ定着装置及びこれを用いた画像形成装置を提供することを目的とする。
【課題を解決するための手段】
【００１０】
上記目的を達成するために、本発明のフラッシュ定着装置は、フラッシュランプ内の気体を放電発光させて、記録媒体上に形成されたトナー像に熱エネルギーを付与して、該トナー像を定着するフラッシュ定着装置において、少なくとも一のフラッシュランプと、充電信号に応じて所定の充電周期で放電コンデンサーを充電して、前記一のフラッシュランプに電源を供給可能に配設された複数の電源供給手段と、該複数の電源供給手段と、前記一のフラッシュランプとの間に介在し、該複数の電源供給手段の出力を切り換える切り替え手段とを備え、前記複数の電源供給手段のそれぞれに対応した複数の充電信号は、所定の遅延間隔で順次遅延されており、かつ、各充電信号に応じた各電源供給手段の放電コンデンサーが充電完了した時点で、前記切り替え手段により、前記少なくとも一のフラッシュランプに前記所定の遅延間隔で順次電源が供給されると共に、前記遅延間隔は、前記所定の充電周期よりも短く設定されていることを特徴とするものである。
【００１１】
このように構成した本発明のフラッシュ定着装置は、少なくとも一のフラッシュランプと、充電信号に応じて所定の充電周期で放電コンデンサーを充電して、一のフラッシュランプに電源を供給可能に配設された複数の電源供給手段と、該複数の電源供給手段と、一のフラッシュランプとの間に介在し、該複数の電源供給手段の出力を切り換える切り替え手段とを備え、複数の電源供給手段のそれぞれに対応した複数の充電信号は、所定の遅延間隔で順次遅延されており、かつ、各充電信号に応じた各電源供給手段の放電コンデンサーが充電完了した時点で、切り替え手段により、少なくとも一のフラッシュランプに所定の遅延間隔で順次電源が供給されると共に、遅延間隔は、所定の充電周期よりも短く設定されているので、コンデンサー個々の容量を増大させることなく、そのフラッシュ定着時間を容易に、かつ、任意に拡張できるフラッシュ定着装置を簡易な構成で安価に提供することができる。
【００１２】
また、前記複数の電源供給手段の内、前記一のフラッシュランプに対して電源供給を行う電源供給手段は、前記切り替え手段により選択可能であってもよい。
【００１３】
このように構成した場合には、複数の電源供給手段の内、一のフラッシュランプに対して電源供給を行う電源供給手段が、切り替え手段により選択可能であるので、所定の充電周期内におけるフラッシュランプの発光回数を任意に設定することが可能となる。これにより、印刷モードに応じた最適なフラッシュランプの発光回数を設定することができ、例えば、モノクロ／カラー印刷に応じた単独発光と連続発光との切り替えや、カラートナーの品種、記録媒体の種類、印刷濃度、印字密度等に応じた最適な定着条件を容易に実現することができる。
【００１４】
さらに、前記所定の遅延間隔は、前記電源供給手段ごとに設定可能であってもよい。
【００１５】
このように構成した場合には、所定の遅延間隔が、電源供給手段ごとに設定可能であるので、所定の充電周期内におけるフラッシュランプの発光回数を任意に設定することが可能となると共に、例えば、電源供給手段ごとに、その遅延時間を異ならせることにより、定着画像の部分的な領域密度や色合いに応じて、より好適な定着条件を実現することができる。
【００１６】
なお、本発明は、上述したフラッシュ定着装置に限られるものではなく、このようなフラッシュ定着装置と画像形成手段等を備える画像形成装置をも対象とするものである。
【発明の効果】
【００１７】
本発明によれば、コンデンサー単体の容量を増大させることなく、そのフラッシュ定着時間を容易に、かつ、任意に拡張できるフラッシュ定着装置及びこれを用いた画像形成装置を簡易な構成で安価に実現することができる。
【発明を実施するための最良の形態】
【００１８】
＜第一の実施形態＞
【００１９】
以下に、本発明の実施の形態について図面を参照して説明する。
【００２０】
まず、本発明に係る現像装置を含む画像形成装置の概略構成について、図１を参照して説明する。図１は、本発明に係る画像形成装置の一実施形態を示す概略構成図である。
【００２１】
図１において、用紙ホッパ１１内に収容された記録媒体である連続用紙Ｐは、図示しない搬送機構により用紙ホッパ１１内から連続送りされて、感光体ドラム４と、この感光体ドラム４と対向配置された転写器７とで形成される転写ニップ部に挿通されて、連続用紙Ｐ上にトナー像が形成され、その後、搬送方向下流側に配設されたフラッシュ定着装置２０にて、該トナー像が定着されてスタッカ５０に収容されるようになっている。
【００２２】
ここで、感光体ドラム４は、回転自在に形成されており、この感光体ドラム４の周囲には、帯電器３、露光器５、現像器６、転写器７、クリーニングブレード８、除電器９、クリーニングブラシ１０等の電子写真機器が配設されている。
【００２３】
このように構成された本実施に形態に係る画像形成装置における画像形成動作について、以下に説明する。
【００２４】
例えば、時計方向に回転自在に形成された感光体ドラム４は、その表面が、帯電器３により一様帯電された後、光学系の露光器５により画像が露光される。これにより、感光体ドラム４上に画像に応じた静電潜像が形成される。この感光体ドラム４上の静電潜像は、現像器６により現像された後、感光体ドラム４上のトナー像が、転写器７により連続用紙Ｐに転写される。
【００２５】
転写後、感光体ドラム４は除電器９により除電され残留トナーはクリーニングブレード８、クリーニングブラシ１０によりクリーニングされ、次の画像形成に備える。
【００２６】
トナー像が転写された連続用紙Ｐはフラッシュ定着装置２０により、フラッシュ定着された後、スタッカ５０に収容される。なお、フラッシュ定着装置２０のフラッシュランプ２１の発光（発光周波数）は、フラッシュ制御ユニット１９により制御される。
【００２７】
次に、本発明に係るフラッシュ定着装置の概要について、図２を参照して説明する。図２は、フラッシュ定着装置の概略構成を模式的に示した図であり、（ａ）は平面図、（ｂ）は装置手前側がら見た側面図、（ｃ）は用紙搬送方向上流側から見た側面図である。
【００２８】
図２（ａ），（ｂ）に示されるように、フラッシュ定着装置２０は、連続用紙Ｐの画像形成面と平行に対向配置されたカバーガラス２３と、このカバーガラス２３の上方に、用紙搬送方向と略直交する方向に延在するように配設されたフラッシュランプ２１ａ〜２１ｄ（本例では、４本配設しているが、必要な定着エネルギーが満足されれば何本でも良い）と、このフラッシュランプ２１ａ〜２１ｄを覆うように配設された反射板２５とを備えている。
【００２９】
そして、複数のフラッシュランプ２１ａ〜２１ｄのそれぞれは、図２（ｃ）に示されるように、その内部にキセノン（Ｘｅ）ガス等の希ガスが封入されたランプ管２１Ｔａ〜２１Ｔｄと、このランプ管の用紙Ｐ側（カバーガラス２３側）の外表面に沿って延在するよう、直線状に配設したトリガワイヤ２１Ｗａ〜２１Ｗｄとを備えている。ここで、このトリガワイヤ２１Ｗａ〜２１Ｗｄは、所定の高電圧を印加することにより、対応するフラッシュランプ２１ａ〜２１ｄの励起を促すものであり、その直径が０．５〜１．０ｍｍ程度の金属線（例えば、ステンレス）で形成されている。
【００３０】
なお、本実施の形態においては、フラッシュランプ２１ａ〜２１ｄを用紙搬送方向と略直交する方向に配設しているが、配設方向はこのような方向に限定されるものではなく、用紙Ｐと非接触に、該用紙Ｐの画像形成面と略平行に配設されていればよく、例えば、用紙搬送方向と同方向に配設してもよいし、斜めに配設してもよい。
【００３１】
また、本実施の形態における画像形成装置は、モノクロ／カラー等の印刷モードや、記録媒体の種類、印刷濃度、印字密度等のそれぞれが、不図示の操作パネルにより設定可能になっている。
【００３２】
次に、本発明に係る電源供給手段及び切り替え手段を備える電源回路の構成について、図３を参照して説明する。
【００３３】
図３に示されるように、本発明に係る電源回路は、単一のフラッシュランプ２１と、電源供給手段を構成する３組の充電ユニットＦＶＣ１〜ＦＶＣ３及び放電コンデンサーＣ１〜Ｃ３と、切り替え手段を構成する電源切り替えＳＷ及びトリガ切り替えＳＷ等を備え、フラッシュランプ２１に対して電源を供給するこれらの電源供給手段が、切り替え手段により、所定の時間差（遅延間隔）で、順次、フラッシュランプ２１に対して放電エネルギーを供給するようになっている。
【００３４】
ここで、フラッシュランプ２１と３個の充電ユニットＦＶＣ１〜ＦＶＣ３及び放電コンデンサーＣ１〜Ｃ３のそれぞれとは、電源切り替えスイッチＰＳＷ及びコイルＬを介して接続されており、各充電ユニットＦＶＣ１〜ＦＶＣ３より充電され、フラッシュランプ２１に印加される放電コンデンサーＣ１〜Ｃ３の充電電圧ＦＶ１〜ＦＶ３は、所定の遅延間隔（以下、ディレイ時間とも称する）で、電源切り替えスイッチＰＳＷにより、切り替えられるようになっている。なお、コイルＬは、フラッシュランプ２１が放電発光する際の、放電電流を抑制するチョークコイルである。
【００３５】
また、３個の充電ユニットＦＶＣ１〜ＦＶＣ３は、併せて、フラッシュランプ２１の放電発光を励起するトリガワイヤ２１Ｗに印加するトリガパルス電圧ＴＲＧＶ１〜ＴＲＧＶ３をも生成するものであり、このトリガパルス電圧ＴＲＧＶ１〜ＴＲＧＶ３は、トリガ切り替えスイッチＴＳＷ及びトリガトランスＴを介してトリガワイヤ２１Ｗに接続されており、トリガ切り替えスイッチＴＳＷにより、各充電ユニットＦＶＣ１〜ＦＶＣ３より生成されるトリガパルス電圧ＴＲＧＶ１〜ＴＲＧＶ３が切り替えられるようになっている。
【００３６】
このように構成した本発明の電源回路においては、例えば、画像形成装置本体に設けられた操作パネル等により設定されたモノクロ／カラー等の印刷モードなどに対応する所定のディレイ時間Ｔ１が、フラッシュ制御ユニット１９に転送され、このフラッシュ制御ユニット１９により、各電源供給手段（充電ユニットＦＶＣ１〜ＦＶＣ３及びこれに対応する放電コンデンサーＣ１〜Ｃ３）に対するコンデンサー充電信号ＣＨＯＮ１〜ＣＨＯＮ３が、所定のディレイ時間Ｔ１に従って、順次出力されるようになっている。
【００３７】
次に、このように構成した本発明に係る電源回路の動作概要について、図４のタイムチャートを参照して説明する。
【００３８】
図４に示されるように、まず、操作パネルの設定等による所定のディレイ時間Ｔ１に基づき、フラッシュ制御ユニット１９から、充電ユニットＦＶＣ１〜ＦＶＣ３に対して、放電コンデンサーＣ１〜Ｃ３の充電信号であるコンデンサー充電信号ＣＨＯＮ１〜ＣＨＯＮ３が順次出力される。なお、本実施の形態において、所定のディレイ時間Ｔ１は、後述する放電コンデンサーＣ１〜Ｃ３単体の充電周期よりも短い、任意の値に設定されている。
【００３９】
このコンデンサー充電信号ＣＨＯＮ１〜ＣＨＯＮ３に基づいて、放電コンデンサーＣ１〜Ｃ３は、充電ユニットＦＶＣ１〜ＦＶＣ３により充電され、それぞれ充電時間Ｔ０1経過後、所定の放電電圧まで上昇して飽和し、フラッシュランプ２１が放電発光するための放電エネルギーを蓄積して各放電コンデンサーＣ１〜Ｃ３の充電が完了する。
【００４０】
ここで、放電コンデンサーＣ１〜Ｃ３のそれぞれは、充電時間Ｔ０1経過後、次の充電が可能となるまでに絶縁回復時間（フラッシュランプ２１のインピーダンスが回復安定するまでの時間）Ｔ０2を要するので、各放電コンデンサーＣ１〜Ｃ３の充電は、所定の充電周期Ｔ０＝Ｔ０1＋Ｔ０2の経過後、再び充電可能となる。
【００４１】
なお、この所定の充電周期Ｔ０は、フラッシュランプ２１のフラッシュ発光による記録媒体搬送方向の定着領域が連続するよう（連続して記録媒体Ｐを定着できるよう）に設定されることが好ましい。
【００４２】
また、この時、充電ユニットＦＶＣ１〜ＦＶＣ３は、放電コンデンサーＣ１〜Ｃ３の充電動作を行うと同時に、不図示のトリガ用コンデンサーも充電する。
【００４３】
フラッシュ制御ユニット１９は、コンデンサー充電信号ＣＨＯＮ１〜ＣＨＯＮ３の出力後、電源切り替えスイッチＰＳＷ及びトリガ切り替えスイッチＴＳＷの所定の切り替えタイミングを生成する。
【００４４】
具体的には、例えば、電源切り替えスイッチＰＳＷが放電コンデンサーＣ１側に切り替えられると同時に、トリガ切り替えスイッチＴＳＷが充電ユニットＦＶＣ１側に切り替えられ、その動作が確定した時点で、充電電圧ＦＶ１及びトリガパルス電圧ＴＲＧＶ１が有効となり、トリガワイヤ２１Ｗにトリガパルス電圧ＴＲＧＶ１（例えば、２０ｋＶ程度のパルス電圧）が印加されると共に、フラッシュランプ２１の軸方向両端部の電極に所定の放電電圧ＦＶ１（例えば、２ｋＶ程度）が印加される。そして、このトリガパルス電圧ＴＲＧＶ１により励起されて、フラッシュランプ２１にフラッシュ電流Ｉｆ１が流れると共に、フラッシュランプ２１が放電発光する。なお、フラッシュランプ２１が発光すると、コンデンサー充電電圧ＦＶ１の電圧はゼロとなる。
【００４５】
次に、所定のディレイ時間Ｔ１経過後、電源切り替えスイッチＰＳＷ及びトリガ切り替えスイッチＴＳＷが、それぞれ放電コンデンサーＣ２，Ｃ３及びフラッシュ電源ユニットＦＶＣ２，ＦＶＣ３に順次切り換わり、上述と同様な動作を行うことにより、フラッシュランプ２１は、所定のディレイ時間Ｔ１の間隔でフラッシュ発光を行う。
【００４６】
なお、このディレイ時間Ｔ１は、例えば、操作パネル等から直接設定してもよいし、予め、モノクロ／カラー等の設定モードとディレイ時間Ｔ１との関係を装置内に記憶させておき、操作パネル等の設定に基づいて、対応する好適なディレイ時間Ｔ１をフラッシュ制御ユニット１９に取り込むようにしてもよい。
【００４７】
このように構成した本発明に係るフラッシュ定着装置２０においては、放電コンデンサーＣ１〜Ｃ３単体の充電周期Ｔ０よりも短く設定されたディレイ時間Ｔ１により、各放電コンデンサーＣ１〜Ｃ３が、ディレイ時間Ｔ１経過ごとに、順次、フラッシュランプ２１に放電エネルギーを供給するので、放電コンデンサーＣ１〜Ｃ３単体の静電容量を増大させることなく、フラッシュ定着時間を容易に、かつ、任意に設定することが可能となる。
【００４８】
すなわち、所定の充電周期Ｔ０内におけるフラッシュランプ２１の発光回数を任意に設定することが可能となり、これにより、定着対象物や目的・用途に応じた定着時間をフレキシブルに実現し、必要十分な定着エネルギーを供給することができると共に、装置の小型化・コストダウン化に寄与するフラッシュ定着装置を簡易な構成で安価に実現することができる。
【００４９】
なお、本実施の形態においては、複数の電源供給手段（充電ユニットＦＶＣ１〜ＦＶＣ３及び放電コンデンサーＣ１〜Ｃ３）の全てを用いて、順次、所定の時間差Ｔ１を設けて、フラッシュランプ２１に電源供給するように構成したが、目的に応じて複数の電源供給手段の内、実際にフラッシュランプ２１に電源供給する電源供給手段を切り替え手段により選択できるように構成してもよい。例えば、操作パネル上にディレイの有無モードを設け、ディレイ無が選択設定された場合には、単一の電源供給手段（例えば、充電ユニットＦＶＣ１及び放電コンデンサーＣ１）のみが切り替え手段により選択され、フラッシュランプ２１に対して単独で電源供給を行うように構成してもよい。
【００５０】
あるいは、選択設定された印刷モードに対応して、予め規定された好適な定着条件に基づいて、フラッシュランプ２１に電源供給する電源供給手段を選択できるように構成してもよい。具体的には、例えば、モノクロ印刷モードが選択設定された場合には、単一の電源供給手段（例えば、充電ユニットＦＶＣ１及び放電コンデンサーＣ１）のみが切り替え手段により選択され、フラッシュランプ２１に対して単独で電源供給を行い、一方、カラー印刷モードが選択設定された場合には、充電周期Ｔ０内で所定の発光回数を実現するような複数の電源供給手段が切り替え手段により選択され、この選択された電源供給手段によりフラッシュランプ２１が所定の回数の連続発光を行い、単独発光と所定の回数の連続発光との切り替えを可能としてもよい。
【００５１】
このように構成した場合には、所定の充電周期Ｔ０内におけるフラッシュランプの発光回数を任意に設定することが可能となり、印刷モード等に応じた、より好適な定着条件を実現することができる。また、カラートナーの品種、記録媒体の種類、印刷濃度、印字密度等に応じて、より最適な定着条件を実現するフラッシュランプ２１の発光条件を柔軟に設定することが可能となる。
【００５２】
また、本実施の形態においては、複数の電源供給手段（充電ユニットＦＶＣ１〜ＦＶＣ３及び放電コンデンサーＣ１〜Ｃ３）による電源供給間隔（フラッシュランプ２１に対する電圧印加間隔）を任意に設定可能な共通のディレイ時間Ｔ１としたが、このディレイ時間を電源供給手段ごとに可変とするように構成してもよい。例えば、充電信号ＣＨＯＮ１と充電信号ＣＨＯＮ２との間隔をＴ２とし、充電信号ＣＨＯＮ２と充電信号ＣＨＯＮ３との間隔をＴ３（Ｔ３≠Ｔ２）とし、充電信号間の間隔、すなわち、フラッシュランプ２１に対する電源供給間隔を、電源供給手段ごとに可変に設定可能に構成してもよい。
【００５３】
このように構成した場合には、所定の充電周期Ｔ０内におけるフラッシュランプ２１の発光回数を任意に設定することが可能となると共に、電源供給手段ごとに、そのディレイ時間Ｔ１を異ならせることで、例えば、定着するトナー画像の部分的な領域密度や色合いに応じて定着エネルギーを増減し、定着する画像領域に応じた最適な定着条件を実現することが可能となり、定着画像の一層の品質向上を図ることができる。
【００５４】
さらに、本実施の形態においては、３組の電源供給手段（充電ユニットＦＶＣ１〜ＦＶＣ３及び放電コンデンサーＣ１〜Ｃ３）により、単一のフラッシュランプ２１に対して、順次、電源を供給するように構成したが、電源供給手段は、このような数に限定されるものではなく、当然に、同様な構成要素を増減することにより、任意の数の電源供給手段を設けることができる。
【図面の簡単な説明】
【００５５】
【図１】本発明に係る画像形成装置の一実施の形態を示す概略構成図である。
【図２】本発明に係るフラッシュ定着装置を示す概略構成図である。
【図３】本発明に係る電源回路の構成を示すブロック図である。
【図４】本発明に係る電源回路の動作を示すタイムチャートである。
【符号の説明】
【００５６】
３：帯電器、４：感光体ドラム、５：露光器、６：現像器、７：転写器、８：クリーニングブレード、９：除電器、１０：クリーニングブラシ、１１：用紙ホッパ、１９：フラッシュ制御ユニット、２０：フラッシュ定着装置、２１：フラッシュランプ、２１Ｗ：トリガワイヤ、２１Ｔ：ランプ管、２１Ｗ：トリガワイヤ、２３：カバーガラス、２５：反射板、５０：スタッカ、Ｃ１-Ｃ３：放電コンデンサー、ＦＶ１-ＦＶ３：コンデンサー充電電圧、ＦＶＣ１-ＦＶＣ３：充電ユニット、Ｉｆ１‐Ｉｆ３：フラッシュ電流、Ｌ：コイル、Ｐ：用紙、Ｔ：トリガトランス、ＰＳＷ：電源切り替えスイッチ、ＴＳＷ：トリガ切り替えスイッチ、Ｔ０：充電周期、Ｔ１：ディレイ時間、ＣＨＯＮ１-ＣＨＯＮ３：コンデンサー充電信号、ＴＲＧＶ１-ＴＲＧＶ３：トリガパルス電圧
【図１】
2006267216.tif 000003
【図２】
2006267216.tif 000004
【図３】
2006267216.tif 000005
【図４】
2006267216.tif 000006